(57)【要約】【課題】  新たな遊技機に適用する場合にその入力の数が増えても、改造の手間をかけることなくオンオフ信号を他の遊技装置へサービスできるようにして、システムの構築を容易に行えるようにする。【解決手段】  遊技機又は遊技装置から出力される単一のオンオフ信号を入力する入力コネクタ１０と、絶縁されたオンオフ出力信号を複数出力する複数の出力コネクタ２０とを備えたアイソレートマルチカプラモジュール１であって、内部に、オンオフ信号を入力する入力回路５０−１とオンオフ出力信号を出力する出力回路５０−２とを有して、これらが絶縁トランス５２により電気的に絶縁された構成としてある。【選択図】    図１
2006271549.tif 000002
【特許請求の範囲】
【請求項１】
遊技機又は遊技装置から出力される単一のオンオフ信号を入力し、この入力したオンオフ信号をオンオフ出力信号として出力するアイソレートマルチカプラモジュールであって、
前記単一のオンオフ信号を入力する入力コネクタと、
前記オンオフ出力信号を出力する複数の出力コネクタと、
前記入力コネクタと前記複数の出力コネクタとの間に接続された信号伝達回路とを備え、
この信号伝達回路が、
前記入力コネクタから前記単一のオンオフ信号を入力する入力回路と、
前記オンオフ出力信号を前記複数の出力コネクタへ送る一又は二以上の出力回路とを備え、
前記入力回路と前記出力回路とが電気的に絶縁された
ことを特徴とするアイソレートマルチカプラモジュール。
【請求項２】
モジュール本体と前記入力コネクタとを接続する所定の長さのリード線、及び／又は、モジュール本体と前記出力コネクタとを接続する所定の長さのリード線を備えた
ことを特徴とする請求項１記載のアイソレートマルチカプラモジュール。
【請求項３】
前記信号伝達回路に搭載される回路能動素子が、半導体無接点素子を含む
ことを特徴とする請求項１又は２記載のアイソレートマルチカプラモジュール。
【請求項４】
前記信号伝達回路が、この信号伝達回路の駆動用電源としての電池を含む
ことを特徴とする請求項１〜３のいずれかに記載のアイソレートマルチカプラモジュール。
【請求項５】
前記電池の電圧低下を報知する報知手段を備えた
ことを特徴とする請求項４記載のアイソレートマルチカプラモジュール。
【発明の詳細な説明】
【技術分野】
【０００１】
本発明は、遊技機又は周辺の遊技装置から出力される単一のオンオフ信号を入力し、複数の周辺機器にオンオフ出力信号を伝達するアイソレートマルチカプラモジュールに関し、その単一のオンオフ信号を入力する回路とオンオフ出力信号を出力する回路とが電気的に絶縁されたアイソレートマルチカプラモジュールに関する。
【背景技術】
【０００２】
遊技機及びその周辺機器から出力されるオンオフ信号は、単一の信号の場合が多い。これに対し、そのオンオフ信号を必要とする周辺機器は、複数になることがある。
この場合、その単一の信号を各周辺機器がどのように取り合うかが問題となる。
【０００３】
このオンオフ信号の取り合いについて、従来は次の方法で対処していた。
周辺機器は、遊技機又は他の周辺機器からオンオフ信号を受け取るための入力コネクタを備えるとともに、電気的に絶縁されたオンオフ信号（オンオフ出力信号）をさらに他の周辺機器へサービスする（提供する）ための出力コネクタを備えていた（例えば、特許文献１、２参照。）。
こうして周辺機器が絶縁されたオンオフ信号を他の周辺機器へ順次サービスしていくことで、各周辺機器のそれぞれがオンオフ信号を受け取ることができる。
【特許文献１】特開２００１−３４０６０４号公報
【特許文献２】特開平１１−９８０３号公報
【発明の開示】
【発明が解決しようとする課題】
【０００４】
しかしながら、サービス出力の数は周辺機器の設計の段階で設定されていた。このため、新たな遊技機に適用する場合にその入力の数が増えて、サービスできない場合があった。
しかも、急遽、その数を増やすにしても改造の手間は大変なものであった。
【０００５】
本発明は、上記の事情にかんがみなされたものであり、新たな遊技機に適用する場合にその入力の数が増えても、改造の手間をかけることなくサービスできるようにして、システムの構築を容易に行えるアイソレートマルチカプラモジュールの提供を目的とする。
【課題を解決するための手段】
【０００６】
この目的を達成するため、本発明のアイソレートマルチカプラモジュールは、遊技機又は遊技装置から出力される単一のオンオフ信号を入力し、この入力したオンオフ信号をオンオフ出力信号として出力するアイソレートマルチカプラモジュールであって、単一のオンオフ信号を入力する入力コネクタと、オンオフ出力信号を出力する複数の出力コネクタと、入力コネクタと複数の出力コネクタとの間に接続された信号伝達回路とを備え、この信号伝達回路が、入力コネクタから単一のオンオフ信号を入力する入力回路と、オンオフ出力信号を複数の出力コネクタへ送る一又は二以上の出力回路とを備え、入力回路と出力回路とが電気的に絶縁された構成としてある。
【０００７】
アイソレートマルチカプラモジュールをこのような構成とすると、遊技機又は周辺機器から出力された単一のオンオフ信号を入力し、電気的に絶縁されたオンオフ出力信号を複数出力することができる。したがって、遊技機や周辺機器の近傍にこのアイソレートマルチカプラモジュールを取り付けることで、容易にシステムを構築できる。
【０００８】
なお、絶縁した出力の必要性は、夫々の周辺機器が他の周辺機器からノイズなどの影響を防止することである。
また、遊技機には、例えば、スロットマシン，パチンコ機，アレンジボール機，雀球機などが含まれる。遊技装置（周辺機器）には、例えば、台間機（遊技媒体貸出機）や台端末などが含まれる。
【０００９】
また、本発明のアイソレートマルチカプラモジュールは、モジュール本体と入力コネクタとを接続する所定の長さのリード線、及び／又は、モジュール本体と出力コネクタとを接続する所定の長さのリード線を備えた構成としてある。
アイソレートマルチカプラモジュールをこのような構成とすれば、該モジュールを取り付けるところが狭い場合でも、リード線を曲げるなどして該モジュールを取り付けることができる。
【００１０】
また、本発明のアイソレートマルチカプラモジュールは、信号伝達回路に搭載される回路能動素子が、半導体無接点素子を含む構成としてある。
アイソレートマルチカプラモジュールをこのような構成とすると、信号伝達回路の省電力化を図ることができる。したがって、電池（後述）の消耗を抑えて寿命を延ばすことができる。
なお、後述の実施形態においては、半導体無接点素子としてＦＥＴを使用している。
【００１１】
また、本発明のアイソレートマルチカプラモジュールは、信号伝達回路が、この信号伝達回路の駆動用電源としての電池を含む構成としてある。
アイソレートマルチカプラモジュールをこのような構成とすれば、該モジュール自身が信号伝達回路の駆動用電源である電池を有しているため、外部から電源電圧を取り込む必要がない。このため、該モジュールを取り付けるときに別途電源を確保する手間を省略できる。
【００１２】
また、本発明のアイソレートマルチカプラモジュールは、電池の電圧低下を報知する報知手段を備えた構成としてある。
アイソレートマルチカプラモジュールをこのような構成とすると、電池の寿命により機能が停止する前に、電池を交換すべきことを管理者が知ることができる。
【発明の効果】
【００１３】
以上のように、本発明によれば、単一の信号のみ出力する遊技機又は周辺機器の信号を複数の周辺機器に伝達する場合に、本発明のアイソレートマルチカプラモジュールを使用することで、遊技装置の新設や入れ換えのときに、簡単に絶縁された複数の出力を得ることができ、安易にまた費用を掛けずにシステムを構築することができる。
【発明を実施するための最良の形態】
【００１４】
以下、本発明に係るアイソレートマルチカプラモジュールの好ましい実施形態について、図面を参照して説明する。
【００１５】
［アイソレートマルチカプラモジュール］
まず、本発明のアイソレートマルチカプラモジュールの実施形態について、図１（ａ），（ｂ）を参照して説明する。
同図（ａ），（ｂ）は、本実施形態のアイソレートマルチカプラモジュールの外観形状を示す斜視図であって、同図（ａ）は、モジュール本体が収縮チューブで形成されたアイソレートマルチカプラモジュール、同図（ｂ）は、モジュール本体が樹脂で形成されたアイソレートマルチカプラモジュールをそれぞれ示す。
【００１６】
同図（ａ），（ｂ）に示すように、アイソレートマルチカプラモジュール１ａ，１ｂ（以下、略して「該モジュール１」という。）は、入力コネクタ１０ａ，１０ｂと、出力コネクタ２０ａ，２０ｂと、モジュール本体３０ａ，３０ｂとを備えている。
入力コネクタ１０ａ，１０ｂ（以下、略して「入力コネクタ１０」という。）は、遊技装置（図示せず）から出力された単一のオンオフ信号を入力する。
この入力コネクタ１０は、同図（ａ）に示すように、モジュール本体３０ａから所定の長さのリード線４０ａ−１を介して接続することができる。また、同図（ｂ）に示すように、リード線４０ａ−１を介することなくモジュール本体３０ｂに直接備えることもできる。
【００１７】
出力コネクタ２０ａ，２０ｂ（以下、略して「出力コネクタ２０」という。）は、オンオフ出力信号を外部出力するコネクタであって、一つの該モジュール１に複数備えられている。
それら複数の出力コネクタ２０は、同図（ａ）に示すように、モジュール本体３０ａから所定の長さのリード線４０ａ−２を介して接続することができる。また、同図（ｂ）に示すように、リード線４０ａ−２を介することなくモジュール本体３０ｂに直接備えることもできる。
【００１８】
なお、出力コネクタ２０は、本実施形態においては、一つのモジュール本体３０に二つ備えられた構成としてあるが、二つに限るものではなく、三つ以上備えることもできる。
また、同図（ａ）においては、二つの出力コネクタ２０ａの双方にリード線４０ａ−２が接続された構成としてあるが、リード線４０ａ−２は、すべての出力リード線２０に接続することに限るものではなく、一部の出力コネクタ２０のみに接続することもできる。
さらに、同図（ａ）においては、入力コネクタ１０ａと出力コネクタ２０ａとの双方にリード線４０ａが接続された構成としてあるが、リード線４０ａは、入力コネクタ１０又は出力コネクタ２０のうちの一方のみに接続することもできる。
【００１９】
モジュール本体３０ａ，３０ｂ（以下、略して「モジュール本体３０」という。）は、内部に信号伝達回路５０や電池６０などが収納されている。そして、外装は、例えば、収縮チューブ（同図（ａ）参照）や樹脂（同図（ｂ）参照）などで形成することができる。
【００２０】
なお、モジュール本体３０には、同図（ｂ）に示すように、フック部３１を形成することができる。
これにより、モジュール本体３０を、遊技機又は遊技装置の近傍に吊り下げることができる。
【００２１】
［信号伝達回路］
次に、信号伝達回路の構成について、図２、図３を参照して説明する。
図２は、信号伝達回路の回路構成の概略を示すブロック図、図３は、その詳細を示す電子回路図である。
【００２２】
信号伝達回路５０は、小型の回路基板に構成されて、入力コネクタ１０と出力コネクタ２０との間に接続される回路であって、図２に示すように、弛張発振回路５１と、絶縁トランス５２と、ピークホールド回路５３ａ，５３ｂと、ＦＥＴ回路５４ａ，５４ｂと、電池６０とを備えている。
なお、図２に示すように、絶縁トランス５２の１次側に接続された回路（遊技機等からオンオフ信号を入力する回路）を入力回路５０−１、絶縁トランス５２の２次側に接続された回路（オンオフ出力信号を出力する回路）を出力回路５０−２という。
【００２３】
弛張発振回路５１は、図３に示すように、ＰＵＴ（Ｐｒｏｇｒａｍａｂｌｅ  Ｕｎｉｊｕｎｃｔｉｏｎ  Ｔｒａｎｓｉｓｔｏｒ）と、抵抗Ｒ５１，Ｒ５２，Ｒ５３と、コンデンサＣ１とを有して構成することができる。
なお、ＰＵＴに代えて、例えば、ＵＪＴ（Ｕｎｉ−Ｊｕｎｃｔｉｏｎ  Ｔｒａｎｓｉｓｔｏｒ）などを用いて弛張発振回路５１を構成することもできる。
【００２４】
絶縁トランス（パルストランス）５２は、１次側と２次側とが電気的に絶縁されている。これにより、１次側に接続された回路（入力回路５０−１）と２次側に接続された回路（出力回路５０−２）とが電気的に絶縁される。
ピークホールド回路５３ａ，５３ｂは、図３に示すように、ホールドコンデンサＣ２ａ，Ｃ２ｂと、放電抵抗Ｒ５４ａ，Ｒ５４ｂと、ダイオードＤ１ａ，Ｄ１ｂとを有して構成されている。
【００２５】
ＦＥＴ回路５４ａ，５４ｂは、二つのＦＥＴ（ＦＥＴ回路５４ａにおいてはＦＥＴ１ａとＦＥＴ２ａ、ＦＥＴ回路５４ｂにおいてはＦＥＴ１ｂとＦＥＴ２ｂ）を組み合わせて構成されており、接点出力のように極性を持たせないようになっている。
すなわち、信号伝達回路５０に搭載される回路能動素子として、本実施形態においてはＦＥＴ（半導体無接点素子）を使用する。
【００２６】
各ＦＥＴ１ａ，２ａ，１ｂ，２ｂに接続されているダイオード（図３参照）は、寄生ダイオードｄ１ａ，ｄ２ａ，ｄ１ｂ，ｄ２ｂである。それらＦＥＴ内部の寄生ダイオードの影響を避けるために２つのＦＥＴのソース同士を接続して図３のような構成としてある。このように構成することにより、接点信号オフ時は、２つの寄生ダイオードは、逆直列接続となり、ＯＵＴ＋／−、−／＋間の抵抗は無限大（∞）となる。
このようにＦＥＴ１ａ，２ａ，１ｂ，２ｂを用いるのは、絶縁トランス５２の２次側で電力を消費しないでオンオフできるようにするためである。
【００２７】
電池６０は、信号伝達回路５０の駆動電源である。この電池６０には、寿命の長いリチューム電池を使用することが望ましい。これにより、信号のオンオフ頻度などを考慮して約１０年は使用できる。
この電池６０の使用電力を少なくするため、弛張発振回路５１はオンデュティの小さい定数として、絶縁トランス５２の２次側はピークホールドのみで電力を消費しないＭＯＳＦＥＴを使用する。
また、信号伝達回路５０には、電池６０の電圧低下を検出して報知する電池電圧検出回路７０が備えられている。この電池電圧検出回路７０については、後記の［電池電圧検出回路］で詳述する。
【００２８】
次に、信号伝達回路の動作について、図３、図４を参照して説明する。
図４は、信号伝達回路の各部における波形を示す波形図である。
該モジュール１の入力コネクタ１０を介して信号伝達回路５０の入力端子に、ＯＮを示す接点信号が入力されると（図４（ａ））、電池６０からの電源電圧（図３等においては３．６Ｖ）が弛張発振回路５１へ供給される（図４（ｂ）、発振回路電源）。
【００２９】
電源電圧を受けている間、弛張発振回路５１のコンデンサＣ１では電荷が充電され（図４（ｃ）、発振回路コンデンサ電圧）、この充電が所定レベルに達するとＰＵＴからパルス波が発振されて（図４（ｄ））、コンデンサＣ１が放電する（図４（ｃ））。そして、これらコンデンサＣ１の充電と、ＰＵＴからの発振（コンデンサＣ１の放電）とは、電池６０から電源電圧を受けている間中繰り返される。
これにより、弛張発振回路５１からは、デューティ比の小さいパルス波が所定の周波数で発振される（図４（ｄ））。このように、デューティ比の小さいパルス波を発振させることで、電力を低減させることができ、絶縁トランス５２に渡す瞬時電力を大きくすることができる。
また、弛張発振回路５１は接点入力がオンのときだけ電池６０の電流を消耗するようになっている。
【００３０】
弛張発振回路５１から発振されたパルス波の電流が絶縁トランス５２の１次側にパルストランス電流として流れると、２次側にはそのパルストランス電流に対して反転した電流（２次側電圧電流）が流れる（図４（ｅ））。
複数（図３においては二つ）の２次側電圧電流は、ピークホールド回路５３ａ，５３ｂのそれぞれでダイオードＤ１ａ，Ｄ１ｂによって整流され、コンデンサＣ２ａ，Ｃ２ｂでピークホールドされ（図４（ｆ））、ＦＥＴ回路５４ａ，５４ｂの各ＦＥＴ１ａ，２ａ，１ｂ，２ｂのゲートに供給される。
すなわち、そのピークホールド回路５３ａ，５３ｂを絶縁トランス５２の２次側に設けて、接点入力オンのときの弛張発振器５１の次の発振までの間、２次側のピークホールド電圧によりＦＥＴ回路５４ａ，５４ｂのスレッショルド電圧をオン電圧以上に保持する（図４（ｇ））。
【００３１】
［電池電圧検出回路］
次に、電池電圧検出回路について、図５を参照して説明する。
同図は、電池電圧検出回路の回路構成を示す電子回路図である。
電池電圧検出回路（報知手段）７０は、電池６０の電圧が低下して寿命に近づいたときにＬＥＤを発光させて報知する回路である。
【００３２】
同図に示すように、電池電圧検出回路７０は、コンパレータ（マイクロパワーコンパレータ）ＩＣ１と、発光ダイオード（高輝度発光ダイオード）ＬＥＤ１と、ツェナーダイオードＺＤ１と、抵抗Ｒ７１，Ｒ７２，Ｒ７３，Ｒ７４とを用いて構成することができる。
なお、各抵抗の値は、Ｒ７１＝１８０ｋΩ，Ｒ７２＝３９０ｋΩ，Ｒ７３＝１００ｋΩ，Ｒ７４＝１ｋΩとすることができる。
【００３３】
この電池電圧検出回路の動作を説明する。
電池電圧ＶＢが３．６〜３．３Ｖのときは、コンパレータＩＣ１の＋入力は−入力より電圧が高く、ＩＣ１の出力は、ＨｉＺ（ハイインピーダンス）となる。すなわち、ＬＥＤ１は、消灯のままである。
【００３４】
電池電圧が低下して、およそ３．２４Ｖ以下になると、コンパレータＩＣ１の＋入力電圧は、−入力電圧より低くなり、コンパレータＩＣ１の出力トランジスタは、ＯＮ（オン）となる。すなわち、ＬＥＤ１が点灯する。
いったんＬＥＤ１が点灯すると、ＬＥＤ１に流れる電流で電池電流が増加して電池電圧はより低い方に変化する。したがって、通常のコンパレータ回路にあるような出力端子から＋入力端子への正帰還のためのフィードバック抵抗は不要である。
【００３５】
なお、電池電圧がさらに低下してコンパレータＩＣ１の動作電圧範囲以下になると、ＬＥＤ１は消灯するか又は除々に暗くなる。
このような電池電圧検出回路を備えることにより、電池の電圧レベルをチェックして、機能が不能になる前にＬＥＤの点滅で交換を促すことができる。
【００３６】
以上説明したように、本発明のアイソレートマルチカプラモジュールによれば、遊技機又は周辺機器から出力された単一のオンオフ信号を入力し、電気的に絶縁されたオンオフ出力信号を複数出力することができる。したがって、遊技機や周辺機器の近傍にこのアイソレートマルチカプラモジュールを取り付けることで、遊技装置等の改造の手間をかけることなく、容易にシステムを構築できる。
【００３７】
以上、本発明のアイソレートマルチカプラモジュールの好ましい実施形態について説明したが、本発明に係るアイソレートマルチカプラモジュールは上述した実施形態にのみ限定されるものではなく、本発明の範囲で種々の変更実施が可能であることは言うまでもない。
例えば、図１においては、一つの該モジュール１に二つの出力コネクタ２０を備える構成とし、これに伴って、図２等においては、信号伝達回路５０の絶縁トランス５２の２次側巻線数，ピークホールド５３，ＦＥＴ回路５４をそれぞれ二つずつ有する構成としてある。ただし、出力コネクタ２０は二つに限るものではなく、三つ以上備えることができる。これにより、信号伝達回路５０においても絶縁トランス５２の２次側巻線数，ピークホールド５３，ＦＥＴ回路５４をそれぞれ出力コネクタ２０と同数備える構成とすることができる。
【００３８】
また、該モジュールの使用方法としては、例えば、該モジュールをカスケードに接続することで、更に多くの出力を得ることができる。
さらに、該モジュールの入出力に、それぞれ接続される遊技機や遊技装置に適合したアダプタリード線を使用することもできる。
また、電池の残量を表示する手段を備えることもできる。
【産業上の利用可能性】
【００３９】
本発明は、遊技機又は遊技装置から出力される単一のオンオフ信号を他の遊技装置へ伝達するためのモジュールに関する発明であるため、それら遊技機や遊技装置に利用可能である。
【図面の簡単な説明】
【００４０】
【図１】本発明のアイソレートマルチカプラモジュールの外観形状を示す斜視図である。
【図２】信号伝達回路の概略構成を示すブロック図である。
【図３】信号伝達回路の詳細構成を示す電子回路図である。
【図４】信号伝達回路における各波形を示す波形図である。
【図５】電池電圧検出回路の構成を示す電子回路図である。
【符号の説明】
【００４１】
１ａ，１ｂ  アイソレートマルチカプラモジュール
１０ａ，１０ｂ  入力コネクタ
２０ａ，２０ｂ  出力コネクタ
３０ａ，３０ｂ  モジュール本体
４０ａ−１，４０ａ−２  リード線
５０  信号伝達回路
５０−１  入力回路
５０−２  出力回路
５１  弛張発振回路
５２  絶縁トランス（パルストランス）
５３ａ，５３ｂ  ピークホールド
５４ａ，５４ｂ  ＦＥＴ回路
６０  電池
７０  電池電圧検出回路
ＩＣ１  マイクロパワーコンパレータ
ＬＥＤ  高輝度発光ダイオード
ＺＤ１  ツェナーダイオード
【図１】
2006271549.tif 000003
【図２】
2006271549.tif 000004
【図３】
2006271549.tif 000005
【図４】
2006271549.tif 000006
【図５】
2006271549.tif 000007